(57)【要約】【課題】既存の回転飲食台の巡回路へ、除菌ブースを極めて容易に設置し、メンテナンス性を向上させる。【解決手段】回転飲食台における巡回路１４上への除菌ブース１８の取付けにおいて、除菌ブース１６を巡回路１４上に設置させた後、本体２２の一側縁に長孔を穿孔させた支持板２６を上設させ、隣接する他側縁に案内板２８を下設させてなる第１取付具３０を、除菌ブース１８の幅方向に二隅の内の一方に配し、案内板２８を第１取付具３０の案内板２８と対称位置に下設させてなる第２取付具３２を、除菌ブース１８の幅方向の二隅の内の他方に配し、各長孔２４内に止具３６を装着し、除菌ブース１８を巡回路１４に固定することを特徴とする。【選択図】　　　　　　図１
2004024386.tif 000002
【特許請求の範囲】
【請求項１】
回転飲食台における巡回路（１４）上へ、紫外線ランプ（１６）を内装させた略トンネル型の除菌ブース（１８）を、取付ける方法において、
除菌ブース（１８）の下端縁を巡回路（１４）の両側壁（２０）上に設置させた後、
平板状の本体（２２）の一側縁に、水平方向に長孔（２４）を穿孔させてなる支持板（２６）を上設させ、支持板（２６）を上設させた側縁と隣接する側縁に、案内板（２８）を下設させてなる第１取付具（３０）を、
案内板（２８）を巡回路（１４）の一方の側壁（２０）内面に、本体（２２）を巡回路（１４）の側壁（２０）上に、支持板（２６）を除菌ブース（１８）の側板（３４）の前面または後面に、それぞれ当接させ、除菌ブース（１８）の幅方向の二隅の内の一方に配し、
案内板（２８）を、第１取付具（３０）の案内板（２８）と対称位置に、下設させてなる第２取付具（３２）を、
案内板（２８）を巡回路（１４）の他方の側壁（２０）内面に、本体（２２）を巡回路（１４）の側壁（２０）上に、支持板（２６）を除菌ブース（１８）の側板（３４）の前面または後面に、それぞれ当接させ、除菌ブース（１８）の幅方向の二隅の内の他方に配し、
各長孔（２４）内に止具（３６）を装着し、除菌ブース（１８）を巡回路（１４）に固定することを特徴とする回転飲食台における巡回路への除菌ブース取付方法。
【請求項２】
平板からなる本体（２２）の一側縁に、水平方向に長孔（２４）を穿孔させてなる支持板（２６）を上設させ、支持板（２６）を上設させた側縁と隣接する別の側縁に、案内板（２８）を下設させてなる第１取付具（３０）と、
案内板（２８）を、第１取付具（３０）の案内板（２８）と対称位置に、下設させてなる第２取付具（３２）と、
からなる除菌ブース用取付具。
【発明の詳細な説明】
【０００１】
【発明の属する技術分野】
本発明は、回転飲食台における巡回路上へ、除菌（殺菌）用の紫外線ランプを内装させた略トンネル型の除菌ブースを取付ける方法および取付具に関するものである。
【０００２】
【従来の技術】
従来、回転飲食台の巡回路上の商品、例えば商品皿に載置させた寿司を、除菌し、鮮度維持させるため、回転飲食台の巡回路上に、内部に紫外線ランプ等を配した門型、トンネル型等の除菌ブースを取付ける方法としては以下の方法が知られている。
【０００３】
第１の方法、除菌ブースを巡回路上に設置した後、除菌ブースの側板の前面、あるいは後面と巡回路の側壁上面との間、あるいは除菌ブースの側板の内面と巡回路の側壁上面との間、にＬ型金具を配し、このＬ型金具を止具を介して止着することにより、除菌ブースを巡回路へ取付ける。
【０００４】
第２の方法、除菌ブースを巡回路上に設置した後、除菌ブースの側板下方に穿孔させた止着孔と、基台の除菌ブース設置位置に対応する個所に穿孔させた止着孔と、に止具を介して止着することにより、除菌ブースを巡回路へ取付ける。
【０００５】
第３の方法、除菌ブースを巡回路上に設置した後、除菌ブースの側板に下設させた支持棒を、基台の除菌ブース設置位置に対応する個所に穿孔させた支持孔に挿入することにより、除菌ブースを巡回路へ取付ける。
【０００６】
【発明が解決しようとする課題】
従来の方法においては、第１、第２の方法はいずれも予め除菌ブースおよび巡回路の側壁に止着孔を穿孔させておく必要があり、また、第３の方法は巡回路の側壁に支持孔を穿孔させておく必要があり、穿孔作業が面倒であるばかりか、所定位置に確実に取付けなければならず、除菌ブースの設置作業に慎重性を必要とするため、設置作業性が極めて良くなかった。
【０００７】
また、除菌ブースの設置位置を変更する場合には、巡回路の側壁上面の別の個所へ止着孔、支持孔を新たに穿孔させる必要があり、使用しない既存の止着孔、支持孔が外部に露呈するため、この止着孔、支持孔を被覆する作業が別途必要であった。
【０００８】
また、いずれの方法においても除菌ブースを、既設の回転飲食台の巡回路の好みの位置に容易に設置することができなかった。
【０００９】
また、除菌ブースのメンテナンス時には、各止具を取外して行わなければならず、面倒であるばかりか、メンテナンス完了後、再び止具により除菌ブースを取付けなければならず、非常に面倒であった。
【００１０】
本発明は、このような欠点に鑑み、既存の回転飲食台の巡回路へ、除菌ブースを極めて容易に設置することができ、除菌ブースのメンテナンス性を向上させた回転飲食台における巡回路への除菌ブースの取付方法および除菌ブース用取付具を提供することを目的とするものである。
【００１１】
【課題を解決するための手段】
本発明は、回転飲食台における巡回路上へ、紫外線ランプを内装させた略トンネル型の除菌ブースを、取付ける方法において、除菌ブースの下端縁を巡回路の両側壁上に設置させた後、平板状の本体の一側縁に、水平方向に長孔を穿孔させてなる支持板を上設させ、支持板を上設させた側縁と隣接する側縁に、案内板を下設させてなる第１取付具を、案内板を巡回路の一方の側壁内面に、本体を巡回路の側壁上に、支持板を除菌ブースの側板の前面または後面に、それぞれ当接させ、除菌ブースの幅方向の二隅の内の一方に配し、案内板を、第１取付具の案内板と対称位置に、下設させてなる第２取付具を、案内板を巡回路の他方の側壁内面に、本体を巡回路の側壁上に、支持板を除菌ブースの側板の前面または後面に、それぞれ当接させ、除菌ブースの幅方向の二隅の内の他方に配し、各長孔内に止具を装着し、除菌ブースを巡回路に固定することを特徴とするものである。
【００１２】
【発明の実施の形態】
本発明に係る回転飲食台の巡回路上へ除菌ブースを取付けるための取付具は、図１〜図５に示すように、以下の構成からなるものである。
【００１３】
本発明で使用する回転飲食台は、基台１２の上部で、すし等の商品を巡回させるクレセントチェーンからなる巡回路１４が配設されたものである。
【００１４】
この回転飲食台に取付ける除菌ブース１８は、内部に紫外線ランプ１６を複数その長さ方向に配設させた略トンネル型のものであり、巡回路１４の両側壁２０上に設置させ、巡回路１４を巡回される商品を紫外線ランプ１６により除菌、殺菌するために使用する。
【００１５】
本発明に係る除菌ブース用取付具（以下単に取付具という）は、第１取付具３０と、第２取付具３２と、からなるものであり、以下に詳述する。
【００１６】
第１取付具３０は、図４に示すように、平板からなる本体２２の一側縁（図４（ハ）において上側）に、水平方向に長孔２４を穿孔させてなる支持板２６を上設させ、支持板２６を上設させた側縁と隣接する別の側縁（図４（ハ）において右側）に、案内板２８を下設させてなるものである。
【００１７】
本例において、本体２２の長さは巡回路１４の側壁２０の上面の幅より長くし、除菌ブース１８を取付けた際、接触面積を大きくし（摩擦係数を増大させ）、安定固定させる配慮がなされている。
【００１８】
また、支持板２６は本体２２の一側縁の先端部に設けられている。
【００１９】
また、支持板２６の水平方向に穿孔された長孔２４は、除菌ブース１８との固着力を増強させるため、上下に２個穿孔させてある。
【００２０】
この長孔２４は、除菌ブース１８の巡回路１４上への取付時に、巡回路１４の幅に対応させて第１取付具３０を調整し（移動させ）た際、除菌ブース１８の側板３２の前面または後面に対する支持板２６の位置がズレても、後述の止具３６を介して確実に止着させるためのものである。
【００２１】
第２取付具３２は、図５に示すように、案内板２８を第１取付具３０の案内板２８と対称位置（図５（ハ）において左側）に下設させてなるものである。
【００２２】
止具３６は、除菌ブース１８の側板３４の前面および後面の、第１取付具３０および第２取付具３２の支持板２６の長孔２４に対応した位置に、予め設けられたボルト３８と、このボルト３８を支持板２６の長孔２４内に嵌挿させた後、ボルト３８に螺入させるナット４０と、により構成されている。
【００２３】
なお、図中４２は湯呑み、小皿用巡回路、４４は商品を載置させた商品皿を示す。
【００２４】
本発明に係る取付具を介して除菌ブース１８を既設の回転飲食台の巡回路１４上へ取付ける方法を、以下に詳述する。
【００２５】
まず、除菌ブース１８を、その下端縁を巡回路１４の両側壁２０上に載置させることにより、巡回路１４上の好みの位置へ設置する。
【００２６】
次に、取付具である第１取付具３０を、その案内板２８を巡回路１４の一方（図１、図３において左側）の側壁２０内面に、その本体２２を巡回路１４の側壁２０上に、その支持板２６を除菌ブース１８の側板３４の前面または後面に、それぞれ当接させ、除菌ブース１８の幅方向の二隅の内の一方に配置する。
【００２７】
この際、除菌ブース１８の側板３４の前面および後面に予め設けられた止具３６であるボルト３８を、支持板２６の長孔２４内に、嵌挿させる。
【００２８】
また、支持板２６の長孔２４により、巡回路１４の幅に対応させて第１取付具３０の位置を調整し（移動させ）、除菌ブース１８の側板３４の前面または後面に対する支持板２６の位置がズレても、止具３６を介して確実に止着させることが可能となる。
【００２９】
また、案内板２８の巡回路１４の側壁２０の内面への当接、支持板２６の長孔２４内への除菌ブース１８の止具３６であるボルト３８の嵌挿、により第１取付具３０の設置位置が極めて容易に決定付けられる。
【００３０】
次に、取付具である第２取付具３２を、その案内板２８を巡回路１４の他方（図１、図３において右側）の側壁２０内面に、その本体２２を巡回路１４の側壁２０上に、その支持板２６を除菌ブース１８の側板３４の前面または後面に、それぞれ当接させ、除菌ブース１８の幅方向の二隅の内の他方に配置する。
【００３１】
次に、除菌ブース１８の長さ方向の他側（図３において奥側）にも、同様に第１取付具３０および第２取付具３２を配置する。
【００３２】
次に、各長孔２４内に嵌挿させた除菌ブース１８の側板３４の前面または後面に設けた止具３６であるボルト３８に、止具３６であるナット４０を螺入させる。
【００３３】
上記作業により、除菌ブース１８を巡回路１４上に固定する。
【００３４】
このため、巡回路１４の側壁２０への止着孔の穿孔、および除菌ブース１８の所定位置への配置作業、が全く必要なく、巡回路１４の幅に対応させて第１取付具３０および第２取付具３２の位置を調整し（移動させ）、案内板２８の巡回路１４の側壁２０の内面への当接、支持板２６の長孔２４内への除菌ブース１８の止具３６の嵌挿、により取付具の設置位置を極めて容易に決定付けることができるため、除菌ブース１８を巡回路１４へ極めて容易に設置することができ、作業性が極めて向上する。
【００３５】
また、除菌ブース１８のメンテナンス時においても、除菌ブース１８を巡回路１４から容易に取外して行うことができるばかりか、メンテナンス完了後、巡回路１８へ容易に設置することができ、メンテナンス性に優れている。
【００３６】
これに加え、除菌ブース１８の設置位置を変更する場合、巡回路１４の側壁２０上面の別の個所へ止着孔を新たに穿孔させる必要がなく、単に除菌ブース１８を変更位置に移動させた後、第１取付具３０および第２取付具３２からなる取付具および止具３６により固定すればよく、また巡回路１４の側壁２０上面に止着孔が存在しないため、巡回路１４、除菌ブース１８のみならず回転飲食台の外観を損なうことが全くない。
【００３７】
なお、本例において、第１取付具３０および第２取付具３２の支持板２６の本体２２に対する上設位置は、本体２２の一側縁の先端部であるが、本体２２の一側縁の他の部分、あるいは全域にわたって上設させてもよく、その上設位置は特に限定されることはない。
【００３８】
また、止具３６は、除菌ブース１８の側板３４の前後面に設けたボルト３８、およびこのボルト３８に螺入させるナット４０により構成されているが、ネジ、その他の止着手段とすることは自由である。
【００３９】
また、第１取付３０および第２取付具３２の本体２２の裏面にゴム、樹脂等の緩衝材を取付け、摩擦係数を増大させることは自明である。
【００４０】
また、除菌ブース１８は略トンネル型の他、門型、ドーム型等の巡回路１４上を被覆可能な形状であれば、その形状は特に限定されることはない。
【００４１】
また、除菌ブース１８には紫外線ランプ１６のみを内装させてあるが、オゾンランプ、その他の除菌効果を奏する機構を配備させることは自由である。
【００４２】
また、除菌ブース１８を拡幅自在とすることにより、巡回路１４の幅が相違するより多種類の回転飲食台へも極めて容易に取付けることが可能となることは自明である。
【００４３】
【発明の効果】
本発明に係る回転飲食台における巡回路への除菌ブースの取付方法および除菌ブース用取付具によれば、既設の回転飲食台の巡回路の側壁への止着孔の穿孔、および除菌ブースの所定位置への配置作業、が全く必要なく、巡回路の幅に対応させて第１取付具および第２取付具の位置を調整し（移動させ）、案内板の巡回路の側壁の内面への当接、支持板の長孔内への除菌ブースの止具の嵌挿、により取付具の設置位置を決定付けることができるため、除菌ブースを既設の回転飲食台の巡回路への設置、取外しが極めて容易であり、メンテナンス性も極めて向上する。
【００４４】
また、除菌ブースの設置位置を変更する場合、巡回路の側壁上面の別の個所へ止着孔を新たに穿孔させる必要がなく、単に除菌ブースを変更位置に移動させた後、取付具および止具により固定するだけでよく、また巡回路の側壁上面に止着孔が存在しないため、巡回路、除菌ブースのみならず回転飲食台の外観を損なうことが全くない。
【図面の簡単な説明】
【図１】本発明に係る回転飲食台の巡回路への除菌ブースの取付け状態を示す縦断面図。
【図２】同、側面図。
【図３】同、斜視図。
【図４】第１取付具を示す、（イ）は正面図、（ロ）は右側面図、（ハ）は平面図。
【図５】第２取付具を示す、（イ）は正面図、（ロ）は右側面図、（ハ）は平面図。
【符号の説明】
１４　巡回路
１６　紫外線ランプ
１８　除菌ブース
２０　側壁（巡回路１４の）
２２　本体
２４　長孔
２６　支持板
２８　案内板
３０　第１取付具
３２　第２取付具
３４　側板（除菌ブース１８の）
３６　止具
【図１】
2004024386.tif 000003
【図２】
2004024386.tif 000004
【図３】
2004024386.tif 000005
【図４】
2004024386.tif 000006
【図５】
2004024386.tif 000007